(57)【要約】【課題】容器内の乾燥状態のティッシュを所望する液体で湿潤状態としてから使用することが可能なウェットティッシュ容器及びその製品を提供する。【解決手段】湿潤機能付きウェットティッシュ容器（１）であって、ティッシュ（９０、８０）を収容可能な容器本体（１０）と、前記容器本体（１０）内に設けられた１又は複数のスプレー容器（３０）と、を備え、前記スプレー容器（３０）は、収容された前記ティッシュ（９０、８０）に含浸させる液体（Ｌ）の１又は複数の成分を充填されかつ前記ティッシュ（９０、８０）に対して前記液体（Ｌ）を噴射するために前記容器本体（１０）の外部から手動操作可能である。【選択図】図１
2015000170.tif 000002
【特許請求の範囲】
【請求項１】
湿潤機能付きウェットティッシュ容器（１）であって、
ティッシュ（９０、８０）を収容可能な容器本体（１０）と、
前記容器本体（１０）内に設けられた１又は複数のスプレー容器（３０）と、を備え、
前記スプレー容器（３０）は、収容された前記ティッシュ（９０、８０）に含浸させる液体（Ｌ）の１又は複数の成分を充填されかつ前記ティッシュ（９０、８０）に対して前記液体（Ｌ）を噴射するために前記容器本体（１０）の外部から手動操作可能であることを特徴とする
湿潤機能付きウェットティッシュ容器。
【請求項２】
前記容器本体（１０）の互いに対向する２つの側壁の内面上にて垂直方向にそれぞれ延在する一対のガイド溝（６２）と、前記一対のガイド溝（６２）に沿って両端部が上下移動可能に装着される着脱自在の棒状支持部材（５０）と、を備え、
ロール形ティッシュ（９０）を収容する場合、前記棒状支持部材（５０）は前記ロール形ティッシュ（９０）の軸上を貫通した状態で装着されることを特徴とする
請求項１に記載の湿潤機能付きウェットティッシュ容器。
【請求項３】
折り畳み形ティッシュ（８０）を収容する場合、前記棒状支持部材（５０）を装着せずに前記折り畳み形ティッシュ（８０）を前記互いに対向する２つの側壁の間に収容することを特徴とする
請求項２に記載の湿潤機能付きウェットティッシュ容器。
【請求項４】
折り畳み形ティッシュ（８０）を収容する場合、前記折り畳み形ティッシュ（８０）を、前記容器本体（１０）の互いに対向する２つの側壁の間に収容可能であることを特徴とする
請求項１に記載の湿潤機能付きウェットティッシュ容器。
【請求項５】
請求項１〜４のいずれかに記載の湿潤機能付きウェットティッシュ容器（１）と、前記ウェットティッシュ容器内に収容された乾燥状態のティッシュ（９０、８０）と、を備えたウェットティッシュ製品。
【発明の詳細な説明】
【技術分野】
【０００１】
本発明は、収容したティッシュを所望する液体により湿潤状態とすることができるウェットティッシュ容器及びその製品に関する。
【背景技術】
【０００２】
従来、不織布等のティッシュ材に水、エタノール等の所定の液体が含浸され除菌や清掃等に用いられるウェットティッシュが知られている。複数のティッシュ片からなる一塊のティッシュの形状としては、所定の間隔で切離線を形成した帯材を円筒状に巻いたティッシュ（以下「ロール形ティッシュ」と称する）と、１枚ずつ取り出し可能に折り畳まれ積層されたティッシュ（以下「折り畳み形ティッシュ」と称する）がある。これらのティッシュは、予め所定の液体で湿潤状態とされ筒形又は箱形の密閉可能な容器に収容されたウェットティッシュ製品として販売されており、容器の蓋に設けられた取出し口から１枚ずつティッシュ片を取り出すことができる。
【０００３】
なお、箱形のウェットティッシュ製品の容器には、通常、折り畳み形ティッシュが収容されている。特許文献１や特許文献２等、取り出し容易性や密閉性を向上させる種々のウェットティッシュ容器の構成が提示されている。
【先行技術文献】
【特許文献】
【０００４】
【特許文献１】特許第３０８８５７７号公報
【特許文献２】特許第４７６９４９６号公報
【発明の概要】
【発明が解決しようとする課題】
【０００５】
上述したように、一般的なウェットティッシュ製品の容器は、予め湿潤状態としたティッシュを収容して１枚ずつ取り出し可能とする機能のみを備えている。従って、その製品の利用者は、ティッシュに含浸させる液体を自由に選択することはできない。例えば、含浸させる液体は、主成分として水に消毒や除菌のためのエタノールを含有するものが多いが、高齢者や乳幼児などの皮膚が弱い利用者には刺激が強すぎて皮膚のトラブルを引き起こすことが多々ある。また、副成分ないしは添加物である防腐剤や皮膚のための保湿剤等が、皮膚に合わない利用者もいる。あるいは、好みの香りを付けたウェットティッシュを使用したいという利用者もある。このように、主成分及び副成分の双方の成分について所望する液体を含浸させたウェットティッシュを使用したいという要望がある。
【０００６】
以上の現状に鑑み、本発明は、容器に収容した乾燥状態のティッシュに対して利用者が所望する液体を含浸させ湿潤状態としてからウェットティッシュとして使用することが可能なウェットティッシュ容器及びその製品を提供することを目的とする。
【課題を解決するための手段】
【０００７】
上記の目的と達成するために本発明は、以下の構成を提供する。なお、括弧内の数字は、後述する図面中の符号であり、参考のために付するものである。
【０００８】
本発明の一態様は、湿潤機能付きウェットティッシュ容器（１）であって、ティッシュ（９０、８０）を収容可能な容器本体（１０）と、前記容器本体（１０）内に設けられた１又は複数のスプレー容器（３０）と、を備え、前記スプレー容器（３０）は、収容された前記ティッシュ（９０、８０）に含浸させる液体（Ｌ）の１又は複数の成分を充填されかつ前記ティッシュ（９０、８０）に対して前記液体（Ｌ）を噴射するために前記容器本体（１０）の外部から手動操作可能であることを特徴とする。
【０００９】
上記態様において、前記容器本体（１０）の互いに対向する２つの側壁の内面上にて垂直方向にそれぞれ延在する一対のガイド溝（６２）と、前記一対のガイド溝（６２）に沿って両端部が上下移動可能に装着される着脱自在の棒状支持部材（５０）と、を備え、ロール形ティッシュ（９０）を収容する場合、前記棒状支持部材（５０）は前記ロール形ティッシュ（９０）の軸上を貫通した状態で装着されることが、好適である。
【００１０】
上記態様において、折り畳み形ティッシュ（８０）を収容する場合、前記棒状支持部材（５０）を装着せずに、前記折り畳み形ティッシュ（８０）を前記互いに対向する２つの側壁の間に収容することが、好適である。
【００１１】
上記態様において、折り畳み形ティッシュ（８０）を収容する場合、前記折り畳み形ティッシュ（８０）を、前記容器本体（１０）の互いに対向する２つの側壁の間に収容可能であることが、好適である。
【００１２】
本発明の別の態様は、上記いずれかに記載の湿潤機能付きウェットティッシュ容器（１）と、前記ウェットティッシュ容器内に収容された乾燥状態のティッシュ（９０、８０）と、を備えたウェットティッシュ製品である。
【発明の効果】
【００１３】
本発明では、ウェットティッシュ容器の容器本体内に、ティッシュに含浸させる液体を充填した１又は複数のスプレー容器を備え、スプレー容器の噴射を容器本体の外部から手動操作可能に構成したので、収容した乾燥状態のティッシュに所望する液体を噴射して湿潤状態としてからウェットティッシュとして使用することができる。
【００１４】
複数のスプレー容器の各々に異なる液体を充填しておき、それらのうちの幾つかを選択してティッシュに噴射することができる。これにより、ウェットティッシュに含浸させる液体の成分を、使用者の所望に応じて変化させることができる。例えば、１本目のスプレー容器に水を、２本目のスプレー容器には高濃度アルコールを、３本目のスプレー容器にはアロマオイルを充填しておくと、水のみ、高濃度アルコールのみ、水とアロマオイル、高濃度アルコールとアロマオイル等、液体の組合せを変えて噴射することが可能となる。また、水と高濃度アルコールの双方を噴射すれば、アルコール濃度を低下させて使用することもできる。
【００１５】
また、アロマオイルなどの香料成分は、噴射してから時間が経過すると香りがほとんど消失するので、例えば、複数のスプレー容器にそれぞれ香りの異なるアロマオイルを充填しておけば、日によって異なる香りを噴射して使用することができる。また、複数のスプレー容器のアロマオイルを同時に噴射して香りをブレンドすることもできる。
【００１６】
さらに、例えば水と混合した状態で長時間経過すると劣化するような成分（薬剤等）の場合、従来であれば防腐剤の添加が必要であったが、本発明においては、水を充填したスプレー容器とは別のスプレー容器に当該成分を充填しておき、使用する直前に水とその成分を噴射して混合することができる。
【００１７】
ロール形ティッシュを収容するための棒状支持部材を備えたウェットティッシュ容器は、棒状支持部材を装着しなければ、折り畳み形ティッシュを収容できる。よって１つのウェットティッシュ容器を、双方の形状のティッシュに兼用できる。
【００１８】
ティッシュのみでなく、スプレー容器の液体も容易に詰め替えることができるので、多様な用途に使用できる。
【図面の簡単な説明】
【００１９】
【図１】図１は、本発明に係るウェットティッシュ容器の一例を示す外観斜視図である。
【図２】図２は、図１のウェットティッシュ容器の蓋を取り外した状態の平面図である。
【図３】図３は、図１のウェットティッシュ容器におけるロール形ティッシュの軸の位置における正面断面展開図である。
【図４】図４は、図１のウェットティッシュ容器における中央のスプレー容器の位置における側面断面図であり、スプレーポンプのピストンが上昇した状態を示す図である。
【図５】図５は、図４と同様の図であり、スプレーポンプのピストンを押し下げた状態を示す図である。
【図６】図６は、図１に示したウェットティッシュ容器の別の使用方法を示した図である。
【図７】図７は、本発明に係るウェットティッシュ容器の別の例を示す外観斜視図である。
【図８】図８は、本発明に係るウェットティッシュ容器において、スプレー容器に液体を充填する工程の一例を示した概略断面図である。
【発明を実施するための形態】
【００２０】
以下、一例を示した図面を参照して本発明の実施の形態を説明する。
図１は、本発明に係るウェットティッシュ容器の一例を示す外観斜視図である。この図では、ウェットティッシュ容器にロール形ティッシュを収容した状態で示している。
図２は、図１のウェットティッシュ容器の蓋を取り外した状態の平面図である。
図３は、図１のウェットティッシュ容器におけるロール形ティッシュの軸の位置における正面断面展開図である。
【００２１】
図１に示すウェットティッシュ容器１は、ロール形ティッシュ９０を収容するための密閉可能な容器本体１０を備え、その内部にも特徴的な構成を備えている。図１では、容器本体１０の外観形状のみを示しており、内部の構成については一部のみを点線で示している。また、内部に収容したロール形ティッシュ９０も点線で示し、使用時にロール端部９１ａを取り出す様子を示している。容器本体１０に収容されたロール形ティッシュ９０は、使用開始前には液体を含浸させられておらず乾燥状態であり、使用する際に液体を噴射されて含浸させられる。本明細書における「含浸」とは、液体をティッシュに対して噴霧状態で供給してティッシュの繊維の隙間に液体をしみ込ませ、ティッシュを湿潤状態すなわち濡れた状態とすることをいう。
【００２２】
ウェットティッシュ容器１の容器本体１０は、下側の有底容器１１と上側の蓋１２から構成される。有底容器１１と蓋１２は、凹凸の嵌込式などの着脱可能な適宜の接続手段（図３の符号１１ａ、１２ｃ参照）により接続固定され、容器本体１０の内部には密閉された空間が形成される。容器本体１０は、典型的には図示のような略直方体であるが、後述する内部構造を形成可能であればこれ以外の形状でもよい。容器本体１０の材質は一般的にはプラスチックである。
【００２３】
図１のロール形ティッシュ９０は、比較的硬い円筒状の芯筒９２（図２、図３を参照）と、芯筒９２上に巻かれたティッシュ材９１とから構成されている。なお、芯筒がなくティッシュ材９１のみで構成されたものもある。ティッシュ材９１の材質は、好適には、従来のウェットティッシュと同様のものである。例えば、合繊繊維をシート状にした厚手で柔らかい風合いの難水溶性の不織布が好適である。
【００２４】
ロール形ティッシュ９０は軸を水平方向に向けて装填される。装填されたロール形ティッシュ９０を上下方向に移動可能に支持するために、棒状支持部材５０が芯筒９２を軸方向に貫通している。棒状支持部材５０の両端部は、一対のガイド溝６２、６２の各々に沿って上下方向に移動可能である。一対のガイド溝６２、６２の各々は、容器本体１０の互いに対向する２つの側壁の内面上に垂直方向に延在している。図示の例では、１つのガイド溝６２は、所定の厚さの２枚のガイド板部材６１ａ、６１ｂの間の隙間として形成されている。棒状支持部材５０は、一対のガイド溝６２、６２の上端から取り出すことができる。
【００２５】
ロール形ティッシュ９０は、図示のように径方向外側のロール端部９１ａを外部に取り出される。このために、蓋１２に１つの取出し口１２ａが穿設されている。取出し口１２ａから外部に露出したロール端部９１ａを引っ張ると、ティッシュ材９１が軸の周りで回転する。なお、ロール端部９１ａを引っ張ることにより、ロール形ティッシュ９０全体が上方に引っ張られて棒状支持部材５０がガイド溝６２に沿って上昇する。このとき、棒状支持部材５０がガイド溝６２の上端から出て外れないように、ガイド溝６２の長さを十分に確保する。ロール形ティッシュ９０を使用していくと次第に小さく軽くなるため、引っ張ったときにガイド溝６２から飛び出しやすくなる。これを回避するために、棒状支持部材５０は金属製など重量のあるものとし、錘の役割を持たせることが好ましい。
【００２６】
ティッシュ材９１には、所定の間隔で切離線９１ｂが予め形成されている。切離線９１ｂの部分が取出し口１２ａから出た直後にティッシュ材９１と取出し口１２ａの間の摩擦抵抗力により切離線９１ｂの部分で切り離される。こうして、１枚の四角形のティッシュ片が得られるとともに、次回取り出し用のロール端部９１ａが取出し口１２ａから僅かに露出した状態となる。使用しないときは、容器本体１０の密閉性を保つために取出し口１２ａのカバー１２ｂを閉じておく。
【００２７】
容器本体１０の蓋１２の上面からは、３つのポンプ操作部材２１の一部が突出している。ポンプ操作部材２１は、蓋１２に嵌め込まれた筒状のガイド部材２２を貫通しており、上下方向に動くことが可能である。ポンプ操作部材２１の数は、容器本体内に装填されるスプレー容器の数と同じである。スプレー容器は少なくとも１つ設けられ、複数設ける場合は３つに限られない。ポンプ操作部材２１の機能については後述する。
【００２８】
図２及び図３に示すように、容器本体１０内には３つのスプレー容器３０が設置されている。スプレー容器３０は、容器本体１０内においてロール形ティッシュ９０に隣接する空間に配置される。スプレー容器３０のポンプの噴射口３１ｃは、ロール形ティッシュ９０の方に向けて配置される。図示の例では、各スプレー容器３０は、それぞれ筒状のスプレー容器支持筒４０内に挿脱自在に装填される。複数のスプレー容器支持筒４０は、それぞれ有底容器１１の底面上の所定の位置に固定されている。図示の例では、複数のスプレー容器支持筒４０がロール形ティッシュ９０の軸方向に沿って一列に並ぶことで、ロール形ティッシュ９０の外周面の位置を規定する役割も果たしている。
【００２９】
スプレー容器３０は少なくとも１つ設けられるが、好ましくは複数設けられる。複数のスプレー容器３０には、それぞれ異なる液体を充填することができる（但し、異なるスプレー容器に同じ液体を充填することを排除しない）。例えば、１つのスプレー容器には主成分となる水を充填し、他のスプレー容器には香りの異なるアロマオイルを充填してもよい。また、図示の例では、全てのスプレー容器３０が同じ大きさであるが、例えば、主成分の水を充填するスプレー容器は容量を大きくし、アロマオイルなどの添加剤や副成分を充填するスプレー容器の容量は小さくしたりして、異なる大きさとしてもよい。さらに、１つのスプレー容器３０に、必ずしも純粋な一成分を充填しなくともよい。例えば予め混合しておいても問題を生じないような複数の成分については、それらを予め混合して混合液体としてから１つのスプレー容器に充填してもよい。
【００３０】
有底容器１１の底面上に受け皿７０を設置し、その上にロール形ティッシュ９０を載置することが好ましい。受け皿７０は、後述する図４に示すように湾曲しており、ロール形ティッシュ９０の最下面を安定に支持する。また、余分な液体が受け皿７０に溜まることで、液体が有底容器１１の底面に漏れ拡がることを防ぐことができる。
【００３１】
スプレー容器３０のポンプのピストン頂部３１ａが、ポンプ操作部材２１の下端２１ａと当接し、ポンプ操作部材２１から押されることによっても、スプレー容器３０の軸が横方向にずれずに安定する。また、図示の例ではピストン頂部３１ａの上面３１ｂには四角錐の凹面が形成され、一方、ポンプ操作部材２１の下端２１ａには四角錐の凸面が形成されて互いに嵌合することで、噴射口３１ｃの軸周りの回転が阻止される（図示しないが、ポンプ操作部材２１は軸周りの回転を阻止されているものとする）。四角錐の凸面と凹面は、双方の部材の中心軸を一致させる形状の一例であり、これに限られない。
【００３２】
図４及び図５は、図１に示したウェットティッシュ容器１の概略的な縦断面図である。図４は、ウェットティッシュ容器１の内部に設けたスプレー容器３０のポンプのピストンが上昇した状態を示し、図５はピストンを押し下げた状態を示す。
【００３３】
本発明では、ウェットティッシュ容器１内に収容されたロール形ティッシュ９０は当初は乾燥状態であり、製品を初めて使用する際にウェットティッシュ容器１内に装填された１又は複数のスプレー容器３０を用いて所望する液体Ｌをロール形ティッシュ９０に噴射して液体Ｌを含浸させる。これにより、ティッシュ材９１が液体Ｌで濡れた湿潤状態、いわゆるウェットティッシュの状態となる。
【００３４】
図４に２点破線で示すように、ロール形ティッシュ９０からティッシュ材９１を取り出して使用していくと、次第に直径が減少していき、ロール形ティッシュ９０’及びティッシュ材９１’のようになり、棒状支持部材５０が降下して棒状支持部材５０’の位置となる。軽量となったロール形ティッシュ９０’は、ティッシュ材９１’を取り出す際にガイド溝６２の上端から飛び出し易くなるが、棒状支持部材５０’の重量が錘の役割を果たす。
【００３５】
スプレー容器３０は、ロール形ティッシュ９０に含浸させる液体Ｌを充填するための液体容器３２と、液体容器３２内の液体Ｌを吸引してロール形ティッシュ９０に噴射するための手動のポンプ３１とから構成されている。スプレー容器３０自体は、公知の一般的な液体噴射用スプレー容器でよく、図４及び図５では、その原理的構成の一例を示している。液体容器３２の上面開口３２ａと、ポンプ３１のシリンダ外壁３１ｍとを適宜の接続手段で接続固定することで、液体容器３２を密閉するとともに、液体容器３２にポンプ３１が装着される。
【００３６】
ポンプ３１は、ピストンとシリンダから構成されている。ピストンは、シリンダの上部に突出しているピストン頂部３１ａと、シリンダの上壁を貫通してシリンダ内に延びるピストンロッド３１ｄと、ピストンロッド３１ｂの下端に形成されたピストンヘッド３１ｇとを具備する。シリンダは、内部空間が隔壁によって下側のピストン室３１iと上側の弾性材室に仕切られ、弾性材室には典型的にはコイルバネである弾性材３１ｆが収容されている。
【００３７】
ピストンヘッド３１ｇは、ピストン室３１ｉ内を上下移動する。ピストンヘッド３１ｇの下面には吐出バルブ３１ｈが設けられる。吐出バルブ３１ｈから上方に液体の吐出流路３１ｅが形成され、吐出流路３１ｅのもう一方の端部は、ピストン頂部３１ａに設けられた噴射口３１ｃに開口している。噴射口３１ｃは、ロール形ティッシュ９０よりも上方に位置するように配置されている。
【００３８】
ピストン室３１Ｌの底面から下方に延びる吸引流路には、吸引バルブ３１ｊが設けられる。吸引バルブ３１ｊの下方に吸引チューブ３１ｋが接続され、その下端は液体容器３２の底壁まで延びている。
【００３９】
弾性材３１ｆは、ピストンの復帰バネとして機能する。図４のピストンの上昇状態からピストンを押し下げて図５の状態になると弾性材３１ｆが圧縮されるが、押し下げる力を解放すると弾性材３１ｆの弾性復帰力により、ピストンは図４の上昇状態に戻る。
【００４０】
図４は、ピストンが上昇した直後の状態であり、吸引バルブ３１ｊが開き、液体Ｌが吸引されてピストン室３１ｉ内に充填されている。吐出バルブ３１ｈは閉じている。次に、ピストンを図５の状態まで押し下げると、その押し下げ過程においてピストン室３１ｉ内の液体Ｌは、開いた吐出バルブ３１ｈを通り、吐出流路３１ｅを経て噴射口３１ｃから噴射される。これにより、液体Ｌが、ロール形ティッシュ９０のティッシュ材９１に浸透する。ロール形ティッシュ９０は、ティッシュ材９１が取り出される度に回転して位置が変わるので、噴射を適宜の回数繰り返すことによりティッシュ材９１全体に液体Ｌを含浸させることができる。
【００４１】
ウェットティッシュ容器１の内部に設けられたスプレー容器３０のポンプ３１のピストンは、外部から直接操作することができない。このためにポンプ操作部材２１が設けられている。ポンプ操作部材２１は、蓋１２を貫通する棒状部分と、棒状部分の上端に形成された平板の操作部分とを具備する。棒状部分の下端には、ポンプ３１のピストン頂部３１ａの上面３１ｂに当接する押下面２１ａが形成されている。
【００４２】
図６は、図１に示したウェットティッシュ容器１の別の使用方法を示した図である。上述したウェットティッシュ容器１から棒状支持部材５０を取り外すことにより、折り畳み形ティッシュ８０を収容することができる。折り畳み形ティッシュ８０は、従来公知のものであり、全体が略直方体となっている。折り畳み形ティッシュ８０を収容した場合も、スプレー容器の使用方法は同じである。このように、ウェットティッシュ容器１は、ロール形ティッシュ９０にも折り畳み形ティッシュ８０にも兼用できる。
【００４３】
図７は、本発明に係るウェットティッシュ容器の別の例を示す外観斜視図である。
図７に示すウェットティッシュ容器２は、折り畳み形ティッシュ８０専用の容器である。従って、ロール形ティッシュを収容するための構成が設けられていない。すなわち、図１〜図６で示したウェットティッシュ容器１と異なる点は、容器本体１０の２つの側壁の内面のガイド溝６２、ガイド溝を形成するガイド部材６１ａ、６１ｂ、ガイド溝に沿って動く棒状支持部材５０及び受け皿７０が設けられていない点である。折り畳み形ティッシュ８０を収容するには、略直方体の内部空間があれば足りる。スプレー容器等のその他の構成については、図１〜図６で示したウェットティッシュ容器１と同様である。
【００４４】
図８は、上述したウェットティッシュ容器において、スプレー容器に液体を充填する工程の一例を示した概略断面図である。
【００４５】
ウェットティッシュ製品を初めて使用する時、又は、ウェットティッシュ製品の使用中に液体を使い尽くして補充する時、ウェットティッシュ容器の蓋を取り外してスプレー容器を取り出し、液体を充填する必要がある。
【００４６】
図８（ａ）は、取り出した空のスプレー容器３０である。図８（ｂ）に示すようにスプレー容器３０のポンプ３１と液体容器３２を分離する。接続固定部３１ｍと３２ａの接続手段は、例えば、例えば螺合又は凹凸嵌合など容易に着脱可能な周知のものであるが、液体が漏出しないように密閉性を確保できるものとする。図８（ｃ）に示すように所望する液体Ｌを液体容器３２に充填する。なお、再充填する場合、前回使用した液体と異なる液体を充填してもよい。その場合は、液体容器３２を洗浄した後に新たな液体を充填する。液体を充填した後、上記と逆の工程を行ってスプレー容器３０を組み立てる。
【００４７】
なお、ロール形ティッシュを収容するウェットティッシュ容器の別の例として、例えば円筒形の容器本体内にロール形ティッシュの軸を垂直方向に向けて収容し、１又は複数のスプレー容器をロール形ティッシュの芯筒内に配置するか、又は、ロール形ティッシュに隣接して配置した構成も、本発明の範囲に含まれるものとする。
【００４８】
上述したウェットティッシュ容器は、通常、乾燥状態のロール形ティッシュ又は折り畳み形ティッシュを収容した「ウェットティッシュ製品」として製造され、流通販売される。ウェットティッシュ製品の１又は複数のスプレー容器については、当初は空の状態でもよく、あるいは、一部又は全部のスプレー容器に適宜の液体を充填した状態でもよい。なお従来のウェットティッシュ製品と同様に、ロール形ティッシュ又は折り畳み形ティッシュを使い尽くした場合は、詰め替え用のティッシュをウェットティッシュ容器に再装填できる。
【符号の説明】
【００４９】
１：ウェットティッシュ容器
１０：容器本体
１１：有底容器、１１ａ：接続固定部
１２：蓋、１２ａ：取出し口、１２ｂ：カバー、１２ｃ：接続固定部
２１：ポンプ操作部材
２２：ガイド部材
３０：スプレー容器
３１：ポンプ、３１ａ：ピストン頂部、３１ｂ：ピストン頂部上面、３１ｃ：噴射口、３１ｄ：ピストンロッド、３１ｅ：吐出流路、３１ｆ：弾性材、３１ｇ：ピストンヘッド、３１ｈ：吐出バルブ、３１ｉ：ピストン室、３１ｊ：吸引バルブ、３１ｋ：吸引チューブ、３１ｍ：接続固定部
３２：液体容器、３２ａ：接続固定部
４０：スプレー容器支持筒
５０：棒状支持部材
６１ａ、６１ｂ：ガイド部材
６２：ガイド溝
７０：受け皿
８０：折り畳み形ティッシュ
９０：ロール形ティッシュ
９１：ティッシュ材、９１ａ：ロール端部、９１ｂ：切離線
９２：芯筒
Ｌ：液体
【図１】
2015000170.tif 000003
【図２】
2015000170.tif 000004
【図３】
2015000170.tif 000005
【図４】
2015000170.tif 000006
【図５】
2015000170.tif 000007
【図６】
2015000170.tif 000008
【図７】
2015000170.tif 000009
【図８】
2015000170.tif 000010